(57)【要約】      （修正有）【課題】排泄物収納袋を安定した状態で収納することができ、夜間用蓄尿袋と連結することにより就寝時にも安心して着用することができるパンツを提供する。【解決手段】パンツ本体１を形成する前身頃３の内面に、四角形状をしたポケット形成用布１５の両側端部と下端部を逢着することにより、上端部が開口した排尿又は排便の排出物収納袋を収納するポケット１３を形成し、ポケットの下部には排出用チューブの引出孔１８を設けたことを特徴とする。パンツ本体とポケット形成用布には、綿の天竺を用いることが好ましく、また、前記排出用チューブの引出孔は、ポケット形成用布の未逢着部分をもって形成するか、ポケット形成用布の下端部に設けた孔をもって形成することができる。【選択図】  図２
0003137891.tif 000002
【実用新案登録請求の範囲】
【請求項１】
パンツ本体を形成する前身頃の内面に、四角形状をしたポケット形成用布の両側端部と下端部を逢着することにより、上端部が開口した排尿又は排便の排出物収納袋を収納するポケットを外側からは見えないように形成し、前記ポケットの下部には排出用チューブの引出孔を設けたことを特徴とするパンツ。
【請求項２】
パンツ本体とポケット形成用布には、綿の天竺が用いられていることを特徴とする請求項１に記載のパンツ。
【請求項３】
排出用チューブの引出孔は、ポケット形成用布の未逢着部分をもって形成することを特徴とする請求項１又は２に記載のパンツ。
【請求項４】
排出用チューブの引出孔は、ポケット形成用布の下端部に設けた孔をもって形成することを特徴とする請求項１又は２に記載のパンツ。
【考案の詳細な説明】
【技術分野】
【０００１】
本考案は、身体に取り付けて排便や排尿の排泄物を収納する排泄物収納袋を収納し、清潔に着用できるとともに、快適に生活できるようにしたパンツに関するものである。
【背景技術】
【０００２】
従来、膀胱や直腸を切除した場合に排尿や排便の排泄物を収納する排泄物収納袋、いわゆるパウチといわれるものを身体に固定するような処置が施される。このようなパウチを身体に取り付けることによって一般の人と変わりなく生活することができるが、パウチが直接肌に触れることから不快感が生じるだけでなく、身体の動きの邪魔になるという問題がある。
【０００３】
そこで、パウチが直接肌に触れないようにするとともに、身体の動きにも邪魔にならず、しかも排泄物を容易に排泄できるようにしたパンツが提案されている。このようなパンツの例として、特開平９−９８９９９号公報及び特開平１０−１９２３２２号公報がある。
【特許文献１】特開平９−９８９９９号公報（要約及び図１参照）
【特許文献２】特開平１０−１９２３２２号公報（要約及び図３参照）
【考案の開示】
【考案が解決しようとする課題】
【０００４】
ところで、特許文献１に記載されたパンツは、袋支持部をパンツ本体の前側面に設けたもので、袋支持部の上部出し入れ口からパウチを収納することによりパウチの動きを止めることができる。しかしながら、袋支持部の下部のパンツ本体には、パウチの排出用管を外側に導くための開口部が設けられており、この開口部を覆うための被覆部材が縫着されているために、通常のパンツとはデザインが異なる。そのために、パンツ内にパウチを収納していることが外観からも認識されるという問題がある。
【０００５】
また、特許文献２に記載されたパンツは、前身頃のウエスト部内面に袋状ポケット部を吊り下げているにすぎないために、パウチを収納することはできるものの、袋状ポケット部は全体が固定されていないから、スポーツ等をした場合には、パウチが袋状ポケット部とともに揺れ動くおそれがある。また、袋状ポケットの下部は完全に閉じられているために、夜間用蓄尿袋を使用する場合には、パウチを前記袋状ポケットから取り出さなければならず、就寝時には着用することができないという問題がある。
【０００６】
そこで、本考案は、パウチを安定した状態で収納でき通常のパンツと同様に外観的にも違和感なく着用できるとともに、就寝中でもパウチを収納しておくことができるパンツを提供することを課題とする。
【課題を解決するための手段】
【０００７】
そこで、本考案に係るパンツは、パンツ本体を形成する前身頃の内面に、四角形状をしたポケット形成用布の両側端部と下端部を逢着することにより、上端部が開口した排尿又は排便の排出物収納袋を収納するポケットを外側からは見えないように形成し、前記ポケットの下部には排出用チューブの引出孔を設けたことを特徴とする。
パンツ本体とポケット形成用布には、綿の天竺を用いることが好ましい。また、前記排出用チューブの引出孔は、ポケット形成用布の未逢着部分をもって形成するか、ポケット形成用布の下端部に設けた孔をもって形成することができる。
【考案の効果】
【０００８】
本考案に係るパンツは、上記構成としたので排尿又は排便の排出物収納袋をパンツ内側に確実に収納することができ、スポーツ等をした場合にも揺れ動くことがなく、違和感がない。
また、ポケットの下部に排出用チューブの引出孔を設けたので就寝時にもそのまま安心して着用することができる。
また、前記ポケットは外側からは見えないように形成されており外観上通常のパンツと異なるところがないから、排出物収納袋を収納していると気づかれることもない。
また、内側にポケットを形成しているものの、パンツ本体は通常のデザインであり、しかも一般に使用されている生地を使用することができるので、柄模様やサイズは通常のパンツと同様に種々取り揃えることができる。
【考案を実施するための最良の形態】
【０００９】
以下に、本考案を図示する実施形態に基づいて説明する。１はパンツ本体で、パンツ本体１は、前身頃３と、脇部４と、後身頃５と、股部６とからなり、前身頃３と脇部４は前身頃用生地８で形成され、後身頃５と股部６は後身頃用生地９で一体に形成され、ウエスト部１０と足口１１を備えている。前身頃３の中央部に上下方向に小便用開口部１２が形成されており、デザインは通常のパンツと変わらないように構成されている。
【００１０】
前記パンツ本体１を形成する生地は、前身頃用生地８及び後身頃用生地９とも、一般に使用されている綿などの天然繊維または合成繊維などで編成した布状部材であれば特に限定されないが、綿１００％の天竺であることが好ましい。本考案に係るパンツは、パウチを収納する上で通常のパンツよりも若干大きめに形成することが好ましい。
【００１１】
また、パンツ本体１は、通常のパンツと同様なデザインであり、図示しない柄や模様が表面に設けられているから、外観的にも楽しみながら着用することができる。なお、本考案に係るパンツには、猿股、ブリーフ、トランクス等を含む。
【００１２】
本考案にかかるパンツの特徴は、前身頃３の右側内面にパウチ収納用ポケット１３を
形成した点にある。パウチ収納用ポケット１３は、パンツ本体１の右側内面に四角形状のポケット形成布１５を縫着することによって形成されている。前記ポケット形成布１５は、側端部と下端部を縫着し上部を開口させることによって形成されており、上部の開口部１７をパウチの出し入れ口としている。前記パウチ収納用ポケット１３を形成するポケット形成布１５には、パンツ本体１と同じ生地が使われている。
【００１３】
前記ポケット形成布１５の大きさは使用するパウチの大きさによって適宜決定すればよく、例えば、幅寸法１５ｃｍ、高さ寸法１８ｃｍ程度とすることができる。また、前記パウチ収納用ポケット１３の下部には排出用チューブの引出孔１８が形成されている。前記排出用チューブの引出孔１８は、ポケット形成用布１５の下部に一部縫着しない部分を設け、この未縫着部分をパウチ下部に設けられた排出用チューブを引き出す引出孔１８とされている。
【００１４】
前記引出孔１８の大きさは、２〜４ｃｍ、好ましくは３ｃｍ程度とする。なお、図示する実施形態では、前記引出孔１８をパウチ収納用ポケット１３の隅部に形成したが、これに限定されるものではなく、適宜の位置に形成することができる。なお、四角形状のポケット形成布１５の下端部は、図示するように水平面に限定されるものではなく、湾曲面や角型等下方が窄まった形状を含むものである。
【００１５】
図４は、排出用チューブ引出孔の他の実施形態を示し、要部を拡大して示す説明図である。図２に示す実施形態では、排出用チューブ引出孔１８は、パウチ収納用ポケット１３の下部の未縫着部分をもって形成されているが、図４に示す実施形態では、ポケット形成布１５の両側端部と下端部が縫着されており、ポケット形成布１５の下部に設けた孔を排出用チューブ引出孔１８ａとしている。
【００１６】
以上説明したように、本考案に係るパンツは、パンツ本体を通常のパンツと同様なデザインとし、一般に使用されている柄模様の生地で形成すること、言い換えれば内側にポケットを形成すること以外は通常のパンツを利用することができるから、通常のパンツと同様なデザインとサイズを取り揃えることができる。従って、通常のパンツと同様に違和感がなく楽しみながら着用することができる。
【００１７】
次に、本考案に係るパンツの使用方法について説明すると、パウチを身体に固定した状態でパンツを穿き、開口部１７からパウチの下端部を入れていきパウチ収納用ポケット１３に収納すればよい。パウチの下端部をパウチ収納用ポケット１３に収納することによって安定した状態で支持される。
【００１８】
パウチ収納用ポケット１３は、パンツ本体に直接形成されているから、独自に揺れ動くことがなくスポーツ等によっても邪魔にならない。また、パウチに溜まった排泄物を排出する際は、ズボンを下げるか脱ぐことになるので、同様にパンツを下げるか脱いで排出用チューブから排出すればよい。パンツを下げるか脱ぐことにより、排出の際にパウチの取り扱いが容易になり、衣類を濡らすおそれがない。
【００１９】
また、夜間の就寝時の使用方法を第１実施形態について説明すると、図５に示すように、排出用チューブ引出孔１８から排出用チューブを引き出し、夜間用蓄尿袋とコネクタで連結すればよい。排出用チューブは排出用チューブ引出孔１８から引き出されているので、就寝中にパウチはずれることがなく安定した状態を保持することができる。
【００２０】
なお、本考案に係るパンツには、パウチ収納用ポケット１３の内面にポリウレタン系等の熱可塑性樹脂製フィルムをラミネートして形成してもよい。また、パンツ本体及びポケット形成布を吸水性または消臭性の繊維で加工した布を使用することが好ましい。
【図面の簡単な説明】
【００２１】
【図１】本考案の第１実施形態に係るパンツの正面図である。
【図２】同じく内側から見た正面図である。
【図３】ポケット部の拡大断面図である。
【図４】排出用チューブ引出孔の第２実施形態の正面図である。
【図５】使用状態の一例を示す正面図である。
【符号の説明】
【００２２】
１：パンツ
３：前身頃
４：脇部
５：後身頃
６：股部
８：前身頃用生地
９：後身頃用生地
１０：ウエスト部
１１：足口
１２：小便用開口部
１３：パウチ収納用ポケット
１５：ポケット形成布
１７：開口部
１８：排出用チューブ引出孔
【図１】
0003137891.tif 000003
【図２】
0003137891.tif 000004
【図３】
0003137891.tif 000005
【図４】
0003137891.tif 000006
【図５】
0003137891.tif 000007